(57)【要約】【課題】停電による電源入力断であるのか装置取り外しによる電源入力断であるのかの判断が出来る電子装置を提供する。【解決手段】電源端子と、電源モニタスイッチと、電源断検出部と、電源断／装置取外し判定部とを具備し、前記電源断／装置取外し判定部が、前記電源断検出部からの信号と前記電源モニタスイッチからの信号とを受けて、停電による電源入力断であるのか装置取り外しによる電源入力断であるのかの判定を行い、その判定信号を出力するよう構成されてなる電子装置。【選択図】図３
2010288134.tif 000002
【特許請求の範囲】
【請求項１】
電源端子と、
電源モニタスイッチと、
電源断検出部と、
電源断／装置取外し判定部
とを具備してなる電子装置であって、
前記電源断／装置取外し判定部が、前記電源断検出部からの信号と前記電源モニタスイッチからの信号とを受けて、停電による電源入力断であるのか装置取り外しによる電源入力断であるのかの判定を行い、その判定信号を出力するよう構成されてなる
ことを特徴とする電子装置。
【請求項２】
更に情報送信部を具備してなり、前記電源断／装置取外し判定部からの判定信号を受信した前記情報送信部が前記電子装置に対向する対向装置に送信するよう構成されてなる
ことを特徴とする請求項１の電子装置。
【請求項３】
更に情報保管部を具備してなり、前記電源断／装置取外し判定部からの判定信号を受信した前記情報保管部が保管するよう構成されてなる
ことを特徴とする請求項１又は請求項２の電子装置。
【発明の詳細な説明】
【技術分野】
【０００１】
本発明は、異常が停電による電源入力断に基づくのか装置取外しによる電源入力断に基づくのかを判断できる電子装置に関する。
【背景技術】
【０００２】
装置Ｂの正常動作時には、センタ側からのデジタル入力信号１は、ユニットＡの入力切換器２、信号処理部３、出力切換器４、装置Ｂ内の出力信号選択器１０を通過し、デジタル出力信号５として下位装置側に送出されるように入力切換器２、出力切換器４が切り換わる電子装置（図７参照）が提案されている。
【先行技術文献】
【特許文献】
【０００３】
【特許文献１】特開４−７９４４号公報
【発明の概要】
【発明が解決しようとする課題】
【０００４】
上記提案の電子装置は、電源断検出器６やユニットＡの挿抜情報検出器９を具備しており、ユニットＡが電源断の時には、電源断検出器６は、その電源断を検出し、切換制御信号８を入力切換器２、出力切換器４に送出して切換え、ユニットＡ内にバイパスライン７を形成し、装置ＢのユニットＡ電源断時におけるセンタ側からのデジタル入力信号１は、ユニットＡ上でバイパスして下位装置側にデジタル出力信号５として送出される。電源断ユニットＡが装置Ｂから引き抜かれた時点においては、ユニットＡの挿抜情報検出器９は、その挿抜を検出して出力信号選択器１０に挿抜情報検出信号１２を送出し、ユニットＡが挿入されているならばユニットＡ内のバイパスライン７でバイパスさせ、ユニットＡが抜かれた状態にあるならば出力信号選択器１０により出力切換器４からのデジタル信号では無く装置Ｂ内バイパスライン１１からの信号を選択し、デジタル出力信号５を下位装置に送出する。
【０００５】
しかしながら、上記提案の電子装置は、電源断時でもユニットＡ抜取時でも、デジタル信号を下位装置側に出力できるものの、電源断の状況に在るのか抜取状況に在るのかを判別できない。例えば、停電による電源入力断であるのか装置取り外しによる電源入力断であるのかの判別が出来ない。
【０００６】
従って、本発明が解決しようとする課題は、停電による電源入力断であるのか装置取り外しによる電源入力断であるのかの判断が出来る電子装置を提供することである。
【課題を解決するための手段】
【０００７】
前記の課題は、電源端子と、
電源モニタスイッチと、
電源断検出部と、
電源断／装置取外し判定部
とを具備してなる電子装置であって、
前記電源断／装置取外し判定部が、前記電源断検出部からの信号と前記電源モニタスイッチからの信号とを受けて、停電による電源入力断であるのか装置取り外しによる電源入力断であるのかの判定を行い、その判定信号を出力するよう構成されてなる
ことを特徴とする電子装置によって解決される。
【発明の効果】
【０００８】
停電による電源入力断であるのか装置取り外しによる電源入力断であるのかを知ることが出来る。例えば、停電による電源入力断に起因した通信異常が起きたのか、装置取外しによる電源入力断に起因した通信異常が起きたのかを知ることが出来、迅速な事故処理の対応が可能になる。
【図面の簡単な説明】
【０００９】
【図１】本発明になる電子装置がユニットケースに搭載時の概略斜視図
【図２】本発明になる電子装置概略側面図
【図３】本発明になる電子装置の概略ブロック図
【図４】本発明になる電子装置の電源断／装置取外し判定部のフローチャート
【図５】本発明になる電源断／装置取外し判定部のタイミングチャート
【図６】本発明になる電源断／装置取外し判定部のタイミングチャート
【図７】従来の電子装置の概略ブロック図
【発明を実施するための形態】
【００１０】
本発明は、例えばユニット組込型通信装置などの電子装置である。この電子装置は、電源端子と、電源モニタスイッチと、電源断検出部と、電源断／装置取外し判定部とを具備する。そして、前記電源断／装置取外し判定部が、前記電源断検出部からの信号と前記電源モニタスイッチからの信号とを受けて、停電による電源入力断であるのか装置取り外しによる電源入力断であるのかの判定を行い、その判定信号を出力するよう構成されてなる。本電子装置は、好ましくは、更に情報送信部を具備する。そして、前記電源断／装置取外し判定部からの判定信号を受信した前記情報送信部が前記電子装置に対向する対向装置（下位装置）に送信するよう構成されている。又、好ましくは、更に情報保管部を具備する。そして、前記電源断／装置取外し判定部からの判定信号を受信した前記情報保管部が保管するよう構成されてなる。前記構成の電子装置によれば、停電による電源入力断であるのか、装置取り外しによる電源入力断であるのかを知ることが出来る。例えば、停電による電源入力断に起因した通信異常が起きたのか、装置取外しによる電源入力断に起因した通信異常が起きたのかを知ることが出来、迅速な処理対応が可能になる。
【００１１】
以下、更に詳しく説明する。
【００１２】
図１〜図６は本発明になる電子装置の一実施形態を示すもので、図１は電子装置がユニットケースに搭載時の概略斜視図、図２は電子装置の概略側面図、図３は電子装置の概略ブロック図、図４は電源断／装置取外し判定部のフローチャート、図５，６はタイミングチャートである。
【００１３】
各図中、１００はユニットケース、１０１はユニットケース１００の電源供給部である。
【００１４】
１１０はユニット組込型通信装置（電子装置）である。そして、ユニットケース１００にユニット組込型通信装置１１０を搭載したり、ユニットケース１００からユニット組込型通信装置１１０を抜き取る（引き抜く）ことが出来るように構成されている。そして、ユニットケース１００にユニット組込型通信装置１１０を搭載した時には、ユニット組込型通信装置１１０の電源端子１１１がユニットケース１００の電源供給部１０１に差し込まれ、電気的接続がなされ、ユニットケース１００からユニット組込型通信装置１１０を抜き取った時には、ユニット組込型通信装置１１０の電源端子１１１がユニットケース１００の電源供給部１０１から抜き取られ、電気的接続が解除されるように構成されている。すなわち、ユニット組込型通信装置１１０の搭載時にはＯＮ状態となり、ユニット組込型通信装置１１０の非搭載状態（抜取状態）にはＯＦＦ状態となる。
【００１５】
１１２は電源モニタスイッチである。そして、ユニット組込型通信装置１１０のユニットケース１００への搭載時と、ユニットケース１００からユニット組込型通信装置１１０を抜き取った時とを判別できるよう構成されている。例えば、電源モニタスイッチ１１２は、ユニット組込型通信装置１１０のユニットケース１００への搭載時には、ユニットケース１００からの圧力により押し込まれた状態のものとなり、ユニットケース１００からユニット組込型通信装置１１０を抜き取った時には、ユニットケース１００からの圧力が解除されて押し出された状態のものとなり、このような状態変化によって、ユニット組込型通信装置１１０が搭載状態であるのか非搭載状態（抜取状態）であるのかを検知できるようになっている。
【００１６】
１１３はＡＣ／ＤＣ変換器、１１４はユニットケース１００から供給される電源を監視する電源断検出器である。そして、何らかの原因で停電になった場合、即ち、電源供給部１０１から電力供給が受けられなくなった場合、電源断検出器１１４によって電源断状態が検出されるよう構成されている。１１５はバックアップ用のコンデンサであり、電源断になった場合、コンデンサ１１５から電力が供給されるようになっている。すなわち、電源断になった場合でも、コンデンサ１１５から電力が供給されてユニット組込型通信装置１１０の内部回路が動作し、直ちに停止はしないようになっている。尚、コンデンサ１１５への充電はユニットケース１００により行われる。
【００１７】
１１６は電源断／装置取外し判定部である。すなわち、電源断／装置取外し判定部１１６は電源モニタスイッチ１１２及び電源断検出器１１４に接続されており、電源モニタスイッチ１１２からの抜取状態信号の入力によって、電源断／装置取外し判定部１１６は、ユニット組込型通信装置１１０がユニットケース１００から抜き取られているものと判断し、電源断検出器１１４からの電源断信号の入力によって、電源断／装置取外し判定部１１６は、ユニット組込型通信装置１１０は電源断になったものと判断するようになっている。すなわち、停電になって電源断になったのか、それともユニット組込型通信装置１１０がユニットケース１００から抜き取られて電源断になったのかを、電源断／装置取外し判定部１１６は判別するように構成されている。
【００１８】
１１７は情報通信部である。この情報通信部１１７は、電源断／装置取外し判定部１１６からの情報（停電になって電源断になったのか、それともユニット組込型通信装置１１０がユニットケース１００から抜き取られて電源断になったのかの判別情報）を受け、該情報を通信信号に変換して外部装置（ユニット組込型通信装置１１０の対向装置：下位装置）に出力するものである。
【００１９】
次に、上記のように構成させたユニット組込型通信装置の動作を説明する（図４，５，６参照）。
【００２０】
電源供給状態であるか電源断になったかが調べられており、この状況を電源断検出器１１４が検出する。そして、電源断検出器１１４は電源断信号を電源断／装置取外し判定部１１６に送信する。一方、電源モニタスイッチ１１２からは、ユニット組込型通信装置１１０がユニットケース１００から抜き取られたか否かのＯＮ（又はＯＦＦ）信号が電源断／装置取外し判定部１１６に送信されている。ＯＮ信号が送られている場合は、ユニット組込型通信装置１１０がユニットケース１００に搭載状態であることを示しており、ＯＦＦ信号が送られて来た場合は、ユニット組込型通信装置１１０がユニットケース１００から取り外されたことを示している。従って、図４から判る通り、電源断／装置取外し判定部１１６が、電源断信号を電源断検出器１１４から受信すると共に、電源モニタスイッチ１１２からＯＦＦ信号を受信した場合には、ユニット組込型通信装置１１０がユニットケース１００から取り外されたものであることが判り、又、電源断信号を電源断検出器１１４から受信すると共に、電源モニタスイッチ１１２からＯＮ信号を受信している場合には、ユニット組込型通信装置１１０が停電状態に陥ったことが判る。従って、同じ電源断状態であっても、これが装置抜き取りによる電源断であるのか、それとも停電などに基づく電源断であるのかを知ることが出来、これに対する処置を迅速に行うことが出来る。
【００２１】
上記実施形態の電子装置は、電源断／装置取外し判定部１１６が、停電になって電源断になったのかユニット組込型通信装置１１０がユニットケース１００から抜き取られて電源断になったのかの判別情報を、情報通信部１１７に送信し、情報通信部１１７が外部装置（ユニット組込型通信装置１１０の対向装置：下位装置）に出力するように構成させた例である。しかしながら、電源断／装置取外し判定部１１６は、前記判別情報を、記憶部（情報保管部）に送信し、該情報（停電か装置取外しかの情報）を保管するようにしたものであっても良い。このような場合には、ユニット組込型通信装置は、停電か装置取外しかの情報をユニット組込型通信装置内に記録して残すことが出来る。勿論、情報通信部と記憶部（情報保管部）とを共に具備し、電源断／装置取外し判定部が前記判別情報を情報通信部と記憶部（情報保管部）に送信し、情報通信部は該情報を外部装置（ユニット組込型通信装置の対向装置：下位装置）に出力し、かつ、記憶部（情報保管部）が該情報を保管するようにしたものであっても良い。
【符号の説明】
【００２２】
１００        ユニットケース
１０１        ユニットケースの電源供給部
１１０        ユニット組込型通信装置（電子装置）
１１１        電源端子
１１２        電源モニタスイッチ
１１３        ＡＣ／ＤＣ変換器
１１４        電源断検出器
１１５        バックアップ用コンデンサ
１１６        電源断／装置取外し判定部
１１７        情報通信部
【図１】
2010288134.tif 000003
【図２】
2010288134.tif 000004
【図３】
2010288134.tif 000005
【図４】
2010288134.tif 000006
【図５】
2010288134.tif 000007
【図６】
2010288134.tif 000008
【図７】
2010288134.tif 000009